(57)【特許請求の範囲】
【請求項１】
複数枚の側板が連設されて胴部を形成し、
１つの側板の一端部に連設される内側蓋片の上に、該１つの側板に相対する側板の一端部に連設される外側蓋片が重ねられて蓋部を形成し、
内側蓋片に差込スリットを設けるとともに、外側蓋片の外縁に連設部を介して差込舌片を連設し、
閉蓋時に、外側蓋片の差込舌片の先端部が内側蓋片の差込スリットのスリット形状に倣う変形を付与されて該差込スリットに挿嵌後、その変形を復元され、該差込舌片の該差込スリット内に位置する連設部の側傍のロック部を内側蓋片の内面に抜出不能にロックされる箱であって、
差込スリットが概ね湾曲状をなすとともに、その中央部に直線状中央スリット部を備えてなり、
差込舌片が外側蓋片の外縁に連設される連設部の側から先端側に向けて狭幅をなす先細り状とされるとともに、その先端部に直線状先端部を備えてなり、
直線状先端部の長さより直線状中央スリット部の長さを大きくし、
連設部の長さより直線状中央スリット部の長さを大きくし、
連設部の長さよりロック部の長さを大きくし、外側蓋片が連接部の破断によって差込舌片と切離されて開封される箱。
【請求項２】
前記蓋部を形成する内側蓋片の内側に、他の側板の一端部に連設されるフラップ片が折込まれ、
外側蓋片の差込舌片が内側蓋片の差込スリットのスリット形状に倣う変形を付与されて該差込スリットに挿嵌後、その変形を復元するときに描く軌跡に干渉しない切欠部を該フラップ片の外縁に備えてなる請求項１に記載の箱。
【請求項３】
前記胴部を形成する複数枚の側板のうちの少なくとも一部の側板の他端部に連設される床片を組合せて底部を形成してなり、
底部が各底片を貼り合せた組上がり底部とされてなる請求項１又は２に記載の箱。
【請求項４】
前記外側蓋片が前記１つの側板に相対する側板の一端部に折り罫線を介して連設され、外側蓋片の上記折り罫線に相対する外縁に連設部を介して差込舌片を連設してなり、
差込舌片の両側のロック部が外側蓋片の上記折り罫線に沿う方向に対してなす角度αを、0度＜α≦10度とする請求項１〜３のいずれかに記載の箱。
【発明の詳細な説明】
【技術分野】
【０００１】
本発明は、商品を個別に収容し店頭に陳列等される箱であって、改ざん防止機能付きの箱に関する。
【背景技術】
【０００２】
改ざん防止機能付きの箱として、特許文献１、２に記載の如く、複数枚の側板が連設されて胴部を形成し、１つの側板の一端部に連設される内側蓋片の上に、該１つの側板に相対する側板の一端部に連設される外側蓋片が重ねられて蓋部を形成し、内側蓋片に差込スリットを設けるとともに、外側蓋片の外縁に連設部を介して差込舌片を連設し、閉蓋時に、外側蓋片の差込舌片が内側蓋片の差込スリットのスリット形状に倣う変形を付与されて該差込スリットに挿嵌後、その変形を復元され、該差込舌片の該差込スリット内に位置する連設部の側傍のロック部を内側蓋片の内面に抜出不能にロックされるものがある。この箱の開封時には、外側蓋片を破ったり、外側蓋片を破らない場合には外側蓋片と差込舌片の連設部を破断することになるから、これらの破損の痕跡により開封されたことがわかり、改ざん防止できる。
【０００３】
尚、特許文献１に記載の箱では、外側蓋フラップ１６の差込片２０が上述した外側蓋片の差込舌片に相当し、内側蓋フラップ１７の差込口２２が上述した内側蓋片の差込スリットに相当する。
【０００４】
また、特許文献２に記載の箱では、側面板１３１の突出係止片１３３が上述した外側蓋片の差込舌片に相当し、側面折込板１５１の係止用スリットｃが上述した内側蓋片の差込スリットに相当する。
【先行技術文献】
【特許文献】
【０００５】
【特許文献１】特開2006-168732
【特許文献２】特開2007-091282
【発明の概要】
【発明が解決しようとする課題】
【０００６】
特許文献１、２に記載の箱には以下の問題点がある。
(1)内側蓋片の差込スリットが複数の直線状スリット部を連結した概ねコの字状をなす。このため、外側蓋辺の差込舌片は、内側蓋片の差込スリットに挿嵌されるとき、差込スリットの相交差する直線状スリット部が互いに形成する角部に倣うように、強制的な折れ変形を付与されるものになる。即ち、差込舌片を差込スリットのスリット形状に自然に倣うようにスムースに曲げ変形させて挿嵌することができない。このため、差込舌片に付与された上述の変形をその挿嵌後に十分に復元できず、差込舌片のロック部によるロック機能を十分に果たすことができないおそれがある。
【０００７】
(2)外側蓋片に設けられる差込スリットが、連設部の長さよりロック部の長さを小さくしている。即ち、内側蓋片の内面に抜出不能にロックされるロック部の長さが小さめになる分、ロック部が外れ易く、外側蓋片の差込スリットから抜出易くなるし、連設部の長さが大きめになる分、連設部が破断し難くなる。このことは、外側蓋片と差込舌片の連設部を破断させずに、差込舌片のロック部を内側蓋片の差込スリットから抜出易くし、外側蓋辺の破損、もしくは外側蓋片と差込舌片の連設部の破損の痕跡を残すことなく開封し得るおそれがあることを意味する。
【０００８】
本発明の課題は、箱において、外側蓋片の差込舌片を内側蓋片の差込スリットのスリット形状に自然に倣うようにスムースに曲げ変形させて挿嵌し、挿嵌後にはその変形を十分に復元して差込舌片のロック部によるロック機能を十分に果たすことができるようにするとともに、差込舌片のロック部が外れにくく、連設部が破断し易くして改ざん防止機能の向上を図ることにある。
【課題を解決するための手段】
【０００９】
請求項１の発明は、複数枚の側板が連設されて胴部を形成し、１つの側板の一端部に連設される内側蓋片の上に、該１つの側板に相対する側板の一端部に連設される外側蓋片が重ねられて蓋部を形成し、内側蓋片に差込スリットを設けるとともに、外側蓋片の外縁に連設部を介して差込舌片を連設し、閉蓋時に、外側蓋片の差込舌片の先端部が内側蓋片の差込スリットのスリット形状に倣う変形を付与されて該差込スリットに挿嵌後、その変形を復元され、該差込舌片の該差込スリット内に位置する連設部の側傍のロック部を内側蓋片の内面に抜出不能にロックされる箱であって、差込スリットが概ね湾曲状をなすとともに、その中央部に直線状中央スリット部を備えてなり、差込舌片が外側蓋片の外縁に連設される連設部の側から先端側に向けて狭幅をなす先細り状とされるとともに、その先端部に直線状先端部を備えてなり、直線状先端部の長さより直線状中央スリット部の長さを大きくし、連設部の長さより直線状中央スリット部の長さを大きくし、連設部の長さよりロック部の長さを大きくし、外側蓋片が連接部の破断によって差込舌片と切離されて開封されるようにしたものである。
【発明の効果】
【００１０】
本発明によれば、箱において、外側蓋片の差込舌片を内側蓋片の差込スリットのスリット形状に自然に倣うようにスムースに曲げ変形させて挿嵌し、挿嵌後にはその変形を十分に復元して差込舌片のロック部によるロック機能を十分に果たすことができるようにするとともに、差込舌片のロック部が外れにくく、連設部が破断し易くして改ざん防止機能の向上を図ることができる。
【図面の簡単な説明】
【００１１】
【図１】図１は実施例１の箱を示す斜視図である。
【図２】図２は箱のブランクシートを示す展開図である。
【図３】図３は箱の閉蓋手順を示す斜視図である。
【図４】図４は箱の各部の形状を示す模式図である。
【図５】図５は実施例２の箱を示す斜視図である。
【図６】図６は箱のブランクシートを示す展開図である。
【発明を実施するための形態】
【００１２】
以下、図面を参照しつつ、本発明を具体的に説明する。なお、各図中、同一符号は同一又は同等の構成要素を表している。
【００１３】
（実施例１）（図１〜図４）
図１に示す実施例１の箱１は、図２に示す厚紙等の１枚のブランクシートを打ち抜いた平板状の箱形成シート２により形成される。
【００１４】
箱形成シート２は、４枚の側板１１〜１４が一体に連設し、箱１の組立状態で、側板１４の内側に糊付けされる糊付片１５が、側板１１の側方に連設して形成される。糊付片１５、側板１１、１２、１３、１４は、各々折れ罫線１５Ａ、１１Ａ、１２Ａ、１３Ａで区切られている。本実施例１は、４枚の側板が連設されたものであるが、それ以外の枚数で複数枚が連設されていても良い。
【００１５】
側板１１の一端部には外側蓋片２１が連設され、外側蓋片２１は側板１１と折り罫線２１Ａで区切られている。
【００１６】
側板１２の一端部にはフラップ片２２が連設され、フラップ片２２は側板１２と折り罫線２２Ａで区切られている。
【００１７】
側板１３の一端部には内側蓋片２３が連設され、内側蓋片２３は側板１３と折り罫線２３Ａで区切られている。
【００１８】
側板１４の一端部にはフラップ片２４が連設され、フラップ片２４は側板１４と折り罫線２４Ａで区切られている。
【００１９】
側板１１の他端部には底片３１が連設され、底片３１は側板１１と折り罫線３１Ａで区切られている。
【００２０】
側板１２の他端部には底片３２が連設され、底片３２は側板１２と折り罫線３２Ａで区切られている。
【００２１】
側板１３の他端部には底片３３が連設され、底片３３は側板１３と折り罫線３３Ａで区切られている。
【００２２】
側板１４の他端部には底片３４が連設され、底片３４は側板１４と折り罫線３４Ａで区切られている。
【００２３】
更に、箱形成シート２にあっては、外側蓋片２１の折り罫線２１Ａに相対する外縁に接続される連設部４１を介して差込舌片４０を連設している。また、内側蓋片２３に後述する如くの概ね湾曲状をなす差込スリット５０を設けている。
【００２４】
次に、箱１の組立方法について説明する。尚、ここでは図２が箱形成シート２の表側を見たものであり、図１において紙面表側が凸になる折り方を正折りと称する。糊付片１５の表面に糊を塗布し、側板１４の裏面に糊付片１５を貼付けて、箱１の胴部１０を形成する。各底片３１〜３４は、胴部１０の内部に折込まれ、かつ互いに貼り合わされて組上がり底部３０を形成し、図３（Ａ）に示す箱１が組立てられる。
【００２５】
詳細には、まず商品を箱１に包装する工場等において、折り罫線１１Ａ〜１３Ａ、１５Ａを各々90度になるように正折りし、糊付片１５を側板１４の裏側に貼付て、箱１の胴部１０を四角形に形成する。また、組上がり底部３０は、各底片３１〜３４を互いに張り合わせて組み上げた閉鎖状態にある。次に、商品を、閉鎖されていない胴部１０の一端部から挿入する。その後、図３（Ｂ）に示す如く、フラップ片２２、２４を各々折り罫線２２Ａ、２４Ａで90度に正折りし、内側蓋片２３を折り罫線２３Ａで90度正折りしてフラップ片２２、２４の上に重ねる。更に、図３（Ｃ）に示す如く、外側蓋片２１を折り罫線２１Ａで90度正折りして内側蓋片２３、フラップ片２２、２４の上に重ねて閉蓋し、蓋部２０を形成する。
【００２６】
外側蓋片２１を内側蓋片２３に重ねて行なう上述の閉蓋時には、外側蓋片２１の平板状差込舌片４０が、内側蓋片２３の差込スリット５０のスリット形状に倣うような湾曲様の変形を付与されて該差込スリット５０に挿嵌後、その変形が復元されて平板状をなす。そして、差込舌片４０の差込スリット５０内に位置する連設部４１の側傍の平板状の外縁からなる直線状ロック部４２が内側蓋片２３の内面に抜出不能に当接し、外側蓋片２１の自由な開放をロックする。
【００２７】
従って、この箱１を開封し、中に収容してある商品を取り出すときには、外側蓋片２１を引き上げると、外側蓋片２１に連設されている差込舌片４０のロック部４２が内側蓋片２３の内面に当接ロックされていて差込スリット５０から抜出できず、連設部４１が破断して外側蓋片２１を開蓋可能にする。連設部４１の破断によって、外側蓋片２１から差込舌片４０が切離されることになり、開封した痕跡が確実に残り、改ざん防止できる。
【００２８】
しかるに、箱１にあっては、外側蓋片２１の差込舌片４０と、内側蓋片２３の差込スリット５０を以下の如くに構成している。
【００２９】
差込舌片４０は、図４（Ａ）に示す如く、外側蓋片２１の外縁に接続される連設部４１の側から先端側に向けて徐々に狭幅をなす先細り状とされる。差込舌片４０は、自由状態で平板状をなし、外側蓋片２１の外縁から垂直方向に連設部４１が連なり、該連設部４１の両側に直線状外縁からなるロック部４２を形成し、各ロック部４２の外側端から該差込舌片４０の先端側に向かう側縁部４３を備え、両側の側縁部４３を該差込舌片４０の先端側でつなぐ先端部４４を備える。側縁部４３は緩やかな湾曲状をなして差込舌片４０の先端に向けて延びて先端部４４につながり、先端部４４は外側蓋片２１の折り罫線２１Ａと平行な方向で、略直線状もしくは湾曲状をなしている。また、直線状のロック部４２は、連設部４１が連なる外側蓋片２１の折り罫線２１Ａと対向する外縁となす角度αにより傾斜している。
【００３０】
外側蓋片２１の外縁に沿う方向で、差込舌片４０の両側の側縁部４３が互いになす間隔が、該差込舌片４０の先端側に向けて上述の如くに狭幅をなすように変化する。このとき、差込舌片４０は、外側蓋片２１の外縁に沿う方向において、連設部４１の長さ（幅方向の長さ）Ａより両側の各ロック部４２の長さＢ（連設部４１からロック部外外側端までの、外側蓋片２１の外縁と平行方向長さ）を大きくしている（Ａ＜Ｂ）。また、本実施例の差込舌片４０は、連設部４１の幅方向中央部と先端部４４の幅方向中央部を通る中心線に関して線対称形状をなしている。
【００３１】
差込スリット５０は、図４（Ｂ）に示す如く、概ね湾曲状をなす。差込スリット５０は、例えばＵ字状をなし、Ｕ字の中央に位置する中央スリット部５１と、Ｕ字の両側をなすサイドスリット部５２とを滑らかに接続して形成される。中央スリット部５１は、差込舌片４０の先端部４４の差込を開始しやすくするために、内側蓋片２３の折り罫線２３Ａに沿う方向に直線状とすることが好ましく、サイドスリット部５２と角度βをなすように接続している。ここで、中央スリット部５１のスリット長さをＸ、両側の各サイドスリット部５２のスリット長さ(距離)をＹとするとき、差込舌片４０が差込スリット５０に挿嵌できる条件として、Ａ＋２Ｂ＜Ｘ＋２Ｙが必要になる。このような外側蓋片２１の差込舌片４０と内側蓋片２３の差込スリット５０を備える箱１によれば、以下の作用効果を奏する。
【００３２】
(a)内側蓋片２３の差込スリット５０が概ね湾曲状をなす。外側蓋片２１の差込舌片４０は、内側蓋片２３の差込スリット５０に挿嵌されるとき、湾曲状のスリット形状に自然に倣うスムースな曲げ変形を付与されて挿嵌される。このため、差込舌片４０に付与された上述の曲げ変形はその挿嵌後に十分に平板状に復元でき、平板状に復元した差込舌片の直線状ロック部によるロック機能を十分に果たすことができる。
【００３３】
(b)外側蓋片２１に設けられる差込舌片４０が、連設部４１の長さＡよりロック部４２の長さＢを大きくしている。内側蓋片２３の内面に抜出不能に当接してロックされるロック部４２の長さＢが大きめになる分、ロック部４２を外れ難くし、内側蓋片２３の差込スリット５０から抜出し難くなるし、連設部４１の長さＡが小さめになる分、連設部４１が破断し易くなる。このことは、外側蓋片２１と差込舌片４０の連設部４１とを破断させずに、差込舌片４０のロック部４２を内側蓋片２３の差込スリット５０から抜出して開封することが極めて困難になることを意味する。
【００３４】
更に、図４（Ａ）、（Ｂ）に示す如く、差込舌片４０の先端部４４は直線状をなし、一方差込スリット５０は、差込舌片４０の直線状先端部４４が容易に挿入可能となる範囲に、中央スリット部５１を略直線状に備えることが好ましい。このとき、先端部４４の長さをＣ、中央スリット部５１の長さをＸとするとき、Ｃ＜Ｘである。
【００３５】
即ち、先細り状差込舌片４０の先端部４４が直線状をなすことにより、差込舌片４０を差込スリット５０に挿入開始するときに、差込舌片４０の先端部４４の折損を回避して挿嵌性を向上する。
【００３６】
また、差込スリット５０が差込舌片４０の直線状先端部４４を挿入可能にする直線状の中央スリット部５１を備えることにより、差込舌片４０を差込スリット５０に挿入開始するときに、差込舌片４０の先端部４４を差込スリット５０のスリット形状に倣う曲げ変形を伴うことなく、そのまま挿嵌でき、挿嵌性を向上する。更に、挿入しやすさの観点から、先端部４４の形状は、側縁部４３から滑らかにつながる湾曲形状にすることで、側縁部４３との境界部での折損をなくすることができる。
【００３７】
更に、差込スリット５０に挿嵌後に平板状に復元した差込舌片４０の直線状の連設部４１（長さＡ）が差込スリット５０の直線状の中央スリット部５１（長さＸ）に納まるためには、図４（Ａ）、（Ｂ）に示す如く、Ａ＜Ｘが必要になる。
【００３８】
差込舌片４０の両側の側縁部４３が該差込舌片４０の中心線に沿う方向に対してなす角度θは、図４（Ａ）に示す如く、ロック部４２の側でより小さく、先端部４４の側でより大きくなるように変化することが、差込舌片４０の差込スリット５０に対するスムースな挿嵌性を確保する上で好ましい。
【００３９】
差込舌片４０の両側のロック部４２が外側蓋片２１の折り罫線２１Ａに沿う方向に対してなす角度αは、図４（Ａ）に示す如く、ロック部４２が内側蓋片２３の内面に強く当接し、差込舌片４０の抜出不能性を確保する上で、0度＜α≦10度とすることが好ましい。
【００４０】
また、差込スリット５０の両側のサイドスリット部５２が内側蓋片２３の折り罫線２３Ａに沿う方向に対してなす角度βは、図４（Ｂ）に示す如く、差込スリット５０に挿嵌後の差込舌片４０のロック部４２がそのサイドスリット部５２に導入されにくくし、差込舌片４０の抜出不能性を確保する上で、20度≦β≦90度とすることが好ましい。
【００４１】
更に、箱１において、フラップ片２２、２４は、外側蓋片２１の差込舌片４０を内側蓋片２３の差込スリット５０に挿嵌するときに、内側蓋片２３をフラップ片２２、２４によって支持し、その挿嵌性を向上することに寄与する。
【００４２】
また、フラップ片２２、２４には、外側蓋片２１の差込舌片４０が内側蓋片２３の差込スリット５０のスリット形状に倣う曲げ変形を付与されて該差込スリット５０に挿嵌後、その曲げ変形を復元するときに描く軌跡Ｋに干渉しない切欠部６０を、図４（Ｃ）に示す如く、フラップ片２２、２４の外縁に備えることが好ましい。差込スリット５０に挿嵌後の差込舌片４０がフラップ片２２、２４の外縁に邪魔されずに上述の曲げ変形を復元でき、差込舌片４０のロック部４２によるロック機能を確実に果たすことができる。
【００４３】
箱１にあっては、底部３０が、前述の如く、各底片３１〜３４を貼り合わせた組上がり底部とされている。従って、箱１の底部３０を開封するときには、組上がり底部を構成している各底片３１〜３４の貼り合わせを剥離する必要があり、この剥離の痕跡を残すものになる。そのような剥離の痕跡を残さずにきれいに開封した底部３０から手等を差し入れることにより、蓋部２０に形成されている差込舌片４０と差込スリット５０とのロックを解除し、その後底部３０を再びきれいに閉じる改ざん操作を許さないものである。
【００４４】
（実施例２）（図５、図６）
実施例２の箱１００が、実施例１の箱１と異なる点は、実施例１の箱１の外側蓋片２１に、折り罫線２１Ａに沿う幅方向の全域に渡る開封用ジッパー７０を付加したことにある。
【００４５】
実施例２の箱１００にあっては、箱１００の開封時に、必ずしも差込舌片４０の連設部４１を破断させずに、外側蓋片２１のジッパー７０を切り開いて外側蓋片２１を開放することもできる。外側蓋片２１のジッパー７０による破損により、開封した痕跡が確実に残り、改ざん防止できる。
【産業上の利用可能性】
【００４６】
本発明によれば、箱において、外側蓋片の差込舌片を内側蓋片の差込スリットのスリット形状に自然に倣うようにスムースに曲げ変形させて挿嵌し、挿嵌後にはその変形を十分に復元して差込舌片のロック部によるロック機能を十分に果たすことができるようにするとともに、差込舌片のロック部が外れにくく、連設部が破断し易くして改ざん防止機能の向上を図ることができる。
【符号の説明】
【００４７】
１、１００  箱
１０  胴部
１１〜１４  側板
２０  蓋部
２１  外側蓋片
２１Ａ  折り罫線
２２  フラップ片
２３  内側蓋片
２４  フラップ片
３０  組上がり底部
３１〜３４  底片
４０  差込舌片
４１  連設部
４２  ロック部
４３  側縁部
４４  先端部
５０  差込スリット
５１  中央スリット部
５２  サイドスリット部
６０  切欠部
【図１】
0005632156.tif 000002
【図２】
0005632156.tif 000003
【図３】
0005632156.tif 000004
【図４】
0005632156.tif 000005
【図５】
0005632156.tif 000006
【図６】
0005632156.tif 000007